(57)【要約】【課題】最適の位置に錠装置を設置できて施錠、開錠の操作性が優れる開口部の構造を提供する。【解決手段】間仕切り壁に形成された矩形状の開口部と、この開口部に隣接して設けられた戸袋と、開口部と略同高さの矩形板状をなすとともに戸先に縦長棒状の把持部を含む把手が設けられ、かつ開口部と戸袋との間を移動可能に支持されて開口部を開閉する引き戸とを具え、前記開口部は、前記引き戸の戸先側に、引き戸と略同高さで、かつ小巾な縦長矩形状をなす袖パネルが取り付けられ、前記袖パネルは、引き戸の移動を拘束して開口部をロックしうる錠装置が設けられることを特徴とする。【選択図】図１
2007204944.tif 000002
【特許請求の範囲】
【請求項１】
間仕切り壁に形成された矩形状の開口部と、この開口部に隣接して設けられた戸袋と、開口部と略同高さの矩形板状をなすとともに戸先に縦長棒状の把持部を含む把手が設けられ、かつ開口部と戸袋との間を移動可能に支持されて開口部を開閉する引き戸とを具え、  前記開口部は、前記引き戸の戸先側に、引き戸と略同高さで、かつ小巾な縦長矩形状をなす袖パネルが取り付けられ、
前記袖パネルは、引き戸の移動を拘束して開口部をロックしうる錠装置が設けられることを特徴とする開口部の構造。
【請求項２】
前記袖パネルは、引き戸と略同厚に形成されるとともに同じ仕様により表面仕上げされることを特徴とする請求項１記載の開口部の構造。
【請求項３】
前記袖パネルは、反対側の様子をうかがうことの出来る縦長スリット状の確認窓を有することを特徴とする請求項１又は２記載の開口部の構造。
【請求項４】
前記袖パネルは、表示プレートが取り付けられることを特徴とする請求項１〜３のいずれかに記載の開口部の構造。
【発明の詳細な説明】
【技術分野】
【０００１】
本発明は、間仕切り壁に形成した出入り口において、これを開閉する引き戸を設けた開口部の構造に関する。
【背景技術】
【０００２】
引き戸は、壁面に沿ったスライド移動により開口部を開閉するため、ドアのように回動を伴った開閉動作のための余裕スペースが不要である。特にグループホームなど高齢者施設、病院においてはキャスター付きのベッドを出し入れするために、例えば１．５〜２．０ｍ程度の開口巾に形成された広幅の開口部を開閉する建具として、引き戸が多く採用されている。
【０００３】
更にこれら引き戸には、ユニバーサルデザインの観点から、成人が立った姿勢での操作高さから車椅子の使用者の操作高さにのびる縦長の把手を設ける場合が多い。このような上下に長い把手を設けると、引き戸戸先に取り付ける錠装置と把手とが干渉し合うため、施錠開錠の際把手が邪魔になって操作がやりにくいという問題があった。そこで干渉を避けるため把手の下側、或いは上側にずらせて、錠装置を取り付けることも考えられるが、この場合には施錠開錠の操作のため、不自然な姿勢を余儀なくされ、更にはそのために確実に施錠されない危険性がある。
【０００４】
そこでこれらの問題を解決するため、把手と錠装置とを一体化することにより、何れも好適な高さで操作できる機構が提案されている（例えば、特許文献１参照）。
【０００５】
【特許文献１】特開平１１−１０７６０５号公報
【発明の開示】
【発明が解決しようとする課題】
【０００６】
しかしながら、把手と錠装置を一体化した機構は、特殊な用途に限られるため、コストアップするとともにメカトラブルなどメンテナンスの際に、専用部品の手配に手間どるという問題がある。しかも、把手と錠装置の配置は、建物のプラン毎に異なるものであり、高齢者施設、病院など用途の違いから生じる様々なニーズに対応するためには、多くの品種を取り揃える必要がある。このように、専用部品の品種が増えると、製造、物流管理工数が嵩む上、取り付け工事も煩雑化してコストを更に押し上げる。更には積算も複雑化するため、未送、誤送などの手違いを招き、施工品質を含めて信頼性の低下を招き易い。
【０００７】
本発明は、引き戸の移動を拘束して開口部をロックしうる錠装置を袖パネルに設けることを基本とし、最適の位置に錠装置を設置できて施錠、開錠の操作性が優れる開口部の構造の提供を課題としている。
【課題を解決するための手段】
【０００８】
前記目的を達成するために、請求項１に係る発明では、間仕切り壁に形成された矩形状の開口部と、この開口部に隣接して設けられた戸袋と、開口部と略同高さの矩形板状をなすとともに戸先に縦長棒状の把持部を含む把手が設けられ、かつ開口部と戸袋との間を移動可能に支持されて開口部を開閉する引き戸とを具え、前記開口部は、前記引き戸の戸先側に、引き戸と略同高さで、かつ小巾な縦長矩形状をなす袖パネルが取り付けられ、前記袖パネルは、引き戸の移動を拘束して開口部をロックしうる錠装置が設けられることを特徴とする。
【０００９】
請求項２に係る発明では、前記袖パネルは、引き戸と略同厚に形成されるとともに同じ仕様により表面仕上げされ、また請求項２に係る発明においては、前記袖パネルは、反対側の様子をうかがうことの出来る縦長スリット状の確認窓を有し、請求項４に係る発明では、前記袖パネルは、表示プレートが取り付けられることを特徴とする。
【発明の効果】
【００１０】
請求項１に係る発明においては、袖パネルに、引き戸の移動を拘束する錠装置が設けられるため、この錠装置が引き戸戸先に取り付けられた把手と干渉することがない。従って、錠装置に対する施錠、開錠などの操作は、把手に邪魔されることなく全く自由に行なうことができ、操作性に優れる。さらに錠装置が袖パネル側に取り付けられるため、引き戸の戸先には、錠装置との配置に考慮する必要なく把手の取り付け位置を自在に設定できる。従って、ユニバーサルデザインの観点から、車椅子の使用者を含めたあらゆる状況に対応して、最も操作し易い最適な位置に把手を設置しうることから、高齢者施設、病院を始めとして各種の建物の開口部に好適に採用できる。他方錠装置においても、把手の取り付け位置に制約されることなく、自由な高さに取り付けることができるため、使用状況に応じた最適位置での錠操作が可能となり、快適に使用できる。
【００１１】
請求項２に係る発明のように、袖パネルを、引き戸と略同厚さに形成すると、一般建具用に設計された市販の錠装置をそのまま取り付けできるため、コストを抑えることができるとともにメンテナンスの際にも簡単に対応することができる。更に袖パネルを、引き戸と同じ仕様で表面仕上げすると、一体感のある外観が得られ、見栄えを高めることができる。
【００１２】
請求項３に係る発明のように、袖パネルに確認窓を設けると、引き戸を開けることなく、向こう側の空間の様子を確認できるため、手間をかけることなくしかもプライバシーを守りながら異常の有無をチェックできる。
【００１３】
請求項４に係る発明のように、袖パネルに表示プレートを取り付けると、例えば個室の使用者の氏名などを明示するなど、便利に使用できる。
【発明を実施するための最良の形態】
【００１４】
以下、本発明の実施の一形態を、図示例とともに説明する。図１に示すように、開口部の構造１は、間仕切り壁２に設けられた開口部３と、戸袋４と、開口部３を開閉する引き戸７とを具える。
【００１５】
前記間仕切り壁２は、例えば廊下、玄関ロビーなどと部屋空間を画するため、屋内空間を仕切る壁であり、そしてこの間仕切り壁２で仕切られた空間相互を連通する出入り口として矩形状の開口部３が形成される。
【００１６】
前記戸袋４は、開口部３に隣接して設けられ、本形態では間仕切り壁２の開口部３側部の厚さを薄くして形成される凹部によって構成されたものが例示される。そしてこの戸袋４は、開口部３と略同高さを有するとともに開口部３の左右何れか一方に連続して配置される。戸袋４はこのほかに、開口部３側部の間仕切り壁２の内部に形成され、かつ開口部３に対して開く中空部として構成することもできる。
【００１７】
前記引き戸７は、開口部３と略同じ大きさを有する矩形板状をなす。本形態の引き戸７は、縦フレーム材、横フレーム材を矩形状に枠組みした外周枠の内側に補強桟を架け渡し形成された木製のパネルフレームの両側に、化粧板を貼着したフラッシュパネルにより構成される。また前記化粧板としては、合板など基板上に、ナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂を用いた化粧シートを貼着したものが用いられる。このほか合板及びパーティクルボードの表面をポリエステル樹脂、ポリウレタン樹脂、アミノアルキド樹脂、アクリル樹脂等で塗装した塗装板を用いることもできる。
【００１８】
またこの引き戸７の戸先側中位には、開閉操作の際、把持される把手６が取り付けられる。この把手６は、ユニバーサルデザインの観点から車椅子使用者でも容易に操作することのできる縦長棒状の把持部５を有する。そして把手６は、前記把持部５の上下から湾曲して折れ曲がる取り付け部２１が設けられて横Ｕ字状なし、この取り付け部２１を介してボルト、ビスなどを用いて固着される。
【００１９】
把手６は、このほか縦長棒状の把持部５の下端部から水平に折れ曲がる横把持部を一体に設けたＬ字状のものなど、ユニバーサルデザインの観点から車椅子使用者でも容易に操作することのできるように工夫された、つかみ易い形状のものが好適に採用される。
【００２０】
このように構成された引き戸７は、図５に示すように、その上端部に吊り車輪２３が取り付けられ、他方開口部３及び戸袋４の上縁部に連続する水平な上レール２４が取り付けられる。しかして、吊り車輪２３が上レール２４に走行可能に係合することによって、引き戸７は、開口部３と戸袋４との間をスライド移動可能に支持され、これにより引き戸７が開口部３を開閉する。なお、引き戸７の下端面には、支持溝２５が形成され、床面から小高さで立ち上がるピン２６を支持溝２５内に挿入することにより、引き戸７の移動時に生じやすい横揺れの力が支持されて、滑らかなスライド動作が維持される。またこのような吊りレール方式のほか、鴨居、敷居を上下に設けることにより、引き戸７を水平移動可能に支持することもできる。
【００２１】
この引き戸７の戸先前方の開口部３内側に、図２に示すように、袖パネル８が取り付けられる。この袖パネル８は、引き戸７と略同高さ、かつ小巾な縦長矩形板状をなし、本形態では引き戸７と同様、木製パネルフレームの両側に化粧板を貼着したフラッシュパネルにより構成される。しかも本形態の袖パネル８は、図３、４に示すように、その基部が開口部３側縁の間仕切り壁２内部へ挿入して固着されるとともに、開口化粧枠２７と一体化して開口部３の戸先側で引き戸７の戸当りを形成している。
【００２２】
しかもこの袖パネル８には、図３に示すように錠装置９が設けられ、これにより引き戸７の移動を拘束して、開口部３をロックできるよう構成している。本形態の錠装置９は、袖パネル８内に埋設されたケース２８と、このケース２８内に収容されて施錠開錠操作によって出没しうる鎌状のデッドボルト２９と、デッドボルト２９を動作させるシリンダ３０と、このシリンダ３０の反対側に配され鍵を使わずにデッドボルト２９を動作させるサムターン３１と、ストライク３２とからなる。そしてこのストライク３２は、引き戸７の戸先端面に埋設され、袖パネル８側で操作することにより袖パネル８から出没するデッドボルト２９が係合することで、施錠開錠される。
【００２３】
このように袖パネル８に、錠装置９の本体部を設けて引き戸７の移動をロックするため、錠装置９と引き戸７戸先に取り付けた把手６とが干渉することがなくなる。従って施錠、開錠などの操作は、把手６に邪魔されることなく袖パネル８側において全くフリーに行なうことができ、施開錠の操作性が優れる。
【００２４】
また袖パネル８側に錠装置９を取り付けることから、錠装置９との配置に考慮する必要なく、把手６は引き戸７戸先の任意位置に取付けが可能である。従って、ユニバーサルデザインの観点から、車椅子の使用者、幼少者による操作などを含め、あらゆる使用状況に対応しうる最適な位置に把手を設置できる。そのため高齢者施設、病院を始めとして各種の建物の開口部に好適に採用できる。他方錠装置９の取り付けも、把手６の取り付け位置に制約を受けることなく、自由な高さに設定できるため、最適位置での錠操作が可能となり、快適に使用できる。なお錠装置９のストライク３２は袖パネル８に取り付けられるが、引き戸７に向き合う端面に埋設されるものであるため、把手６に干渉することはない。
【００２５】
本形態の袖パネル８は、図３に示すように、引き戸７と略同厚に形成される。従って、引き戸７を閉止した時、引き戸７と袖パネル８は段差を生じることなく開口部３で連続してこれを遮蔽するため、見栄えに優れる。また引き戸７と略同厚の袖パネル８には、引き戸７を含め一般建具の厚さに合わせて設計された汎用の錠装置９をそのまま使用できるため、豊富に流通する機種から選択することによって必要機能に応じた錠装置９を設けることができるとともにメンテナンスも容易となり、かつ安定した品質が得られるとともにコストを低く抑えることができる。
【００２６】
更に本形態の袖パネル８は、引き戸７と同じ仕様を用いて表面仕上げされる。具体的には、本形態の引き戸７及び袖パネル８は、同じ化粧板を使用したフラッシュパネルとして構成される。従って、引き戸７との一体性が更に向上して、高い意匠性が得られる。
【００２７】
また図４に示すように、本形態の袖パネル８には、縦長スリット状の確認窓１０が形成される。この確認窓１０には、型板ガラス、プラスチック板などの透光性を持つ窓板３３が嵌め込まれるため、反対側の様子をうかがうことができる。従って、引き戸７を開けることなく、反対側の様子を確認することができるため、手間をかけることなく、プライバシーを尊重しながらも気配を察知できて異常の有無をチェックできる点で好ましい。
【００２８】
更には図２に示すように、袖パネル８には表示プレート１１が取り付けられる。この表示プレート１１には、使用者の氏名、部屋の機能、部屋番号などが明示され、便利に使用できる。
【００２９】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３０】
【図１】本発明の一実施の形態を例示する斜視図である。
【図２】その要部拡大図である。
【図３】その要部横断面図である。
【図４】他の部分の要部横断面図である。
【図５】その縦断面図である。
【符号の説明】
【００３１】
１      開口部の構造
２      間仕切り壁
３      開口部
４      戸袋
５      把持部
６      把手
７      引き戸
８      袖パネル
９      錠装置
１０    確認窓
１１    表示プレート
【図１】
2007204944.tif 000003
【図２】
2007204944.tif 000004
【図３】
2007204944.tif 000005
【図４】
2007204944.tif 000006
【図５】
2007204944.tif 000007